(57)【要約】【課題】本発明は、背景壁紙及び一つ又は複数のユーザーインターフェイスエレメントを同時に電子装置の表示ユニットに表示するための方法、更に、この方法を実施する電子装置並びにこの方法を実行するためのコンピュータプログラム製品を開示する。【解決手段】前記方法においては、前記背景壁紙を分析することによって、前記背景壁紙で関心領域（Ｒｅｇｉｏｎ  ｏｆ  Ｉｎｔｅｒｅｓｔ；ＲＯＩ）を指定する。前記背景壁紙を表示する。前記一つ又は複数のユーザーインターフェイスエレメントを、前記ＲＯＩが覆われないように前記表示された背景壁紙の領域に表示する。【選択図】図１
2013097369.tif 000002
【特許請求の範囲】
【請求項１】
背景壁紙を分析することによって、前記背景壁紙で関心領域（ＲＯＩ）を指定する工程と、
前記背景壁紙を表示する工程と、
一つ又は複数のユーザーインターフェイスエレメントを、前記ＲＯＩが覆われないように前記表示された背景壁紙の領域に表示する工程と、
を備え、
前記背景壁紙及び前記一つ又は複数のユーザーインターフェイスエレメントを同時に電子装置の表示ユニットに表示するための方法。
【請求項２】
前記一つ又は複数のユーザーインターフェイスエレメントを、前記ＲＯＩが覆われないように前記表示された背景壁紙の前記領域に表示する前記工程は、
前記一つ又は複数のユーザーインターフェイスエレメントを、前記ＲＯＩが覆われないように前記背景壁紙に表示するように、その少なくとも一つを移動する工程を含む請求項１に記載の方法。
【請求項３】
前記一つ又は複数のユーザーインターフェイスエレメントを、前記ＲＯＩが覆われないように前記表示された背景壁紙の前記領域に表示する前記工程は、
前記一つ又は複数のユーザーインターフェイスエレメントを、前記ＲＯＩが覆われないように前記背景壁紙に表示するように、その少なくとも一つのサイズを調整する工程を含む請求項１に記載の方法。
【請求項４】
前記ＲＯＩは、前記背景壁紙で関心テーマを含む請求項１に記載の方法。
【請求項５】
前記関心テーマは、人面である請求項４に記載の方法。
【請求項６】
前記背景壁紙は、複数の連続像を含む動的壁紙であり、且つ前記背景壁紙を分析によって、前記背景壁紙で前記ＲＯＩを指定する前記工程は、
前記背景壁紙で前記ＲＯＩを指定するように、前記連続像を分析する工程を含む請求項１に記載の方法。
【請求項７】
前記一つ又は複数のユーザーインターフェイスエレメントのそれぞれは、アイコン、ウィジェット、通知又はボタンである請求項１に記載の方法。
【請求項８】
電子装置に用いられるコンピュータプログラムが前記電子装置にロードされると、前記電子装置が、背景壁紙及び一つ又は複数のユーザーインターフェイスエレメントを同時に前記電子装置の表示ユニットに表示するための方法を実行するコンピュータプログラム製品で、前記方法は
前記背景壁紙を分析することによって、前記背景壁紙でＲＯＩを指定する工程と、
前記背景壁紙を表示する工程と、
前記一つ又は複数のユーザーインターフェイスエレメントを、前記ＲＯＩが覆われないように前記表示された背景壁紙の領域に表示する工程と、
を備えて、前記コンピュータプログラムを含むコンピュータプログラム製品。
【請求項９】
前記一つ又は複数のユーザーインターフェイスエレメントを、前記ＲＯＩが覆われないように前記表示された背景壁紙の前記領域に表示する前記工程は、
前記一つ又は複数のユーザーインターフェイスエレメントを、前記ＲＯＩが覆われないように前記背景壁紙に表示するように、その少なくとも一つを移動する工程を含む請求項８に記載のコンピュータプログラム製品。
【請求項１０】
前記一つ又は複数のユーザーインターフェイスエレメントを、前記ＲＯＩが覆われないように前記表示された背景壁紙の前記領域に表示する前記工程は、
前記一つ又は複数のユーザーインターフェイスエレメントを、前記ＲＯＩが覆われないように前記背景壁紙に表示するように、その少なくとも一つのサイズを調整する工程を含む請求項８に記載のコンピュータプログラム製品。
【請求項１１】
前記ＲＯＩは、前記背景壁紙で関心テーマを含む請求項８に記載のコンピュータプログラム製品。
【請求項１２】
前記関心テーマは、人面である請求項１１に記載のコンピュータプログラム製品。
【請求項１３】
前記背景壁紙は、複数の連続像を含む動的壁紙であり、且つ前記背景壁紙を分析によって、前記背景壁紙で前記ＲＯＩを指定する前記工程は、
前記背景壁紙で前記ＲＯＩを指定するように、前記連続像を分析する工程を含む請求項８に記載のコンピュータプログラム製品。
【請求項１４】
前記一つ又は複数のユーザーインターフェイスエレメントのそれぞれは、アイコン、ウィジェット、通知又はボタンである請求項８に記載のコンピュータプログラム製品。
【請求項１５】
表示ユニットと、
前記表示ユニットに電気的に接続され、前記表示ユニットを制御するように構成される表示制御ユニットと、
前記表示制御ユニットに電気的に接続される処理ユニットと、
を備え、
前記処理ユニットは、前記背景壁紙を分析することによって、前記背景壁紙でＲＯＩを指定し、
前記表示制御ユニットは、前記背景壁紙及び前記一つ又は複数のユーザーインターフェイスエレメントを、前記ＲＯＩが覆われないように前記表示された背景壁紙の領域に表示するように、前記表示ユニットを制御する、
電子装置。
【請求項１６】
前記表示制御ユニットは、前記一つ又は複数のユーザーインターフェイスエレメントを、前記ＲＯＩが覆われないように前記背景壁紙に表示するように、その少なくとも一つを移動する請求項１５に記載の電子装置。
【請求項１７】
前記表示制御ユニットは、前記一つ又は複数のユーザーインターフェイスエレメントを、前記ＲＯＩが覆われないように前記背景壁紙に表示するように、その少なくとも一つのサイズを調整する請求項１５に記載の電子装置。
【請求項１８】
前記ＲＯＩは、前記背景壁紙で関心テーマを含む請求項１５に記載の電子装置。
【請求項１９】
前記関心テーマは、人面である請求項１８に記載の電子装置。
【請求項２０】
前記背景壁紙は、複数の連続像を含む動的壁紙であり、
前記処理ユニットは、前記背景壁紙で前記ＲＯＩを指定するように、前記連続像を分析する請求項１５に記載の電子装置。
【請求項２１】
前記一つ又は複数のユーザーインターフェイスエレメントのそれぞれは、アイコン、ウィジェット、通知又はボタンである請求項１５に記載の電子装置。
【発明の詳細な説明】
【技術分野】
【０００１】
本発明は、コンピュータの壁紙関連の表示方法に関し、特に、背景壁紙及び一つ又は複数のユーザーインターフェイスエレメントを同時に電子装置の表示ユニットに表示するための方法、この方法を実行するためのコンピュータプログラム製品、並びにこの方法を実施する電子装置に関する。
【背景技術】
【０００２】
現代の手持ち式電子装置の殆どは、静的壁紙、動的壁紙、待ち受け画面の背景のような個性的な壁紙を表示する機能を提供できる。つまり、ユーザーは、好みのイメージを選択して、その手持ち式電子装置のデスクトップに表示される背景壁紙とすることができる。デスクトップに表示されるアイコン、ウィジェット（ｗｉｄｇｅｔ）又は他のユーザーインターフェイスエレメントが、前記デスクトップに表示されるユーザーの好み物を覆うことがある。そのため、ユーザーは、その好み物が覆われないように、ユーザーインターフェイスエレメントの位置を再配置しなければならない。
【発明の概要】
【発明が解決しようとする課題】
【０００３】
そのため、ユーザーの好み物が他のユーザーインターフェイスエレメントに覆われるのを防ぐ必要がある。
【課題を解決するための手段】
【０００４】
本発明の一実施例によると、背景壁紙及び一つ又は複数のユーザーインターフェイスエレメントを同時に電子装置の表示ユニットに表示するための方法が提供される。前記方法において、背景壁紙を分析することによって、背景壁紙における関心領域（Ｒｅｇｉｏｎ  ｏｆ  Ｉｎｔｅｒｅｓｔ；ＲＯＩ）を指定する。背景壁紙を表示する。一つ又は複数のユーザーインターフェイスエレメントを、ＲＯＩが覆われないように表示された背景壁紙の領域に表示する。
【０００５】
本発明のまた他の実施例によると、表示ユニットと、表示制御ユニットと、処理ユニットと、を備える電子装置が提供される。表示制御ユニットは、表示ユニットに電気的に接続され、且つ処理ユニットは、表示制御ユニットに電気的に接続される。表示制御ユニットは、表示ユニットを制御するように構成される。処理ユニットは、背景壁紙を分析することによって、背景壁紙でＲＯＩを指定する。表示制御ユニットは、背景壁紙及び一つ又は複数のユーザーインターフェイスエレメントを、ＲＯＩが覆われないように表示された背景壁紙の領域に表示するように、表示ユニットを制御する。
【発明の効果】
【０００６】
本発明は、多くの利点を実現できる。表示ユニットにおけるＲＯＩ表示用領域が、いかなるユーザーインターフェイスエレメントに覆われることはない。つまり、ユーザーにとって関心のある領域が、視覚上において、いかなるユーザーインターフェイスエレメントに遮断されることはない。
【０００７】
以下の説明及び添付の特許請求の範囲を参照すれば、本発明の前記又は他の特徴、態様、利点は、より分かりやすくなる。上記の一般的な説明及び下記の詳細な説明は、何れも例に過ぎなく、請求される本発明の更なる説明を提供することを図るものを、理解すべきである。
【図面の簡単な説明】
【０００８】
実施例に関わる以下の詳細な説明を読むと、本発明をより十分的に理解することができ、下記添付図面を参照する。
【図１】本発明の一実施例による背景壁紙及び一つ又は複数のユーザーインターフェイスエレメントを同時に電子装置の表示ユニット上に表示する方法を示すフロー図である。
【図２】背景壁紙及び一つ又は複数のユーザーインターフェイスエレメントを同時に電子装置の表示ユニットに表示するための方法を実施する電子装置のブロック図の実施例を示す。
【図３Ａ】ユーザーインターフェイスエレメントを移動する方式の実施例を示す。
【図３Ｂ】ユーザーインターフェイスエレメントを移動する方式の実施例を示す。
【図３Ｃ】ユーザーインターフェイスエレメントを移動する方式の実施例を示す。
【図４Ａ】ユーザーインターフェイスエレメントを移動したり、調整したりする方式の実施例を示す。
【図４Ｂ】ユーザーインターフェイスエレメントを移動したり、調整したりする方式の実施例を示す。
【図４Ｃ】ユーザーインターフェイスエレメントを移動したり、調整したりする方式の実施例を示す。
【図５Ａ】背景壁紙におけるＲＯＩを指定できる方式の実施例を示す。
【図５Ｂ】背景壁紙におけるＲＯＩを指定できる方式の実施例を示す。
【図５Ｃ】背景壁紙におけるＲＯＩを指定できる方式の実施例を示す。
【発明を実施するための形態】
【０００９】
本発明の当面の実施例を参照して、示される添付図面とともに詳しく説明する。出来る限り、同一又は類似の素子を、図面及び明細書において同一の符号で表す。
【００１０】
図１は、本発明の一実施例による背景壁紙及び一つ又は複数のユーザーインターフェイスエレメントを同時に電子装置の表示ユニット上に表示する方法を示すフロー図である。背景壁紙は、静的壁紙、動的壁紙、待ち受け画面又はそれらの組み合わせであってよい。一つ又は複数のユーザーインターフェイスエレメントは、少なくとも一つのアイコン、少なくとも一つのウィジェット、少なくとも一つの通知、少なくとも一つのボタン、又はそれらの任意の組み合わせであってよい。図２は、この方法を実施する電子装置のブロック図の実施例を示す。前記方法において、電子装置を提供して、前記電子装置の表示ユニットに表示される背景壁紙でＲＯＩを指定し、且つ背景壁紙及び一つ又は複数のユーザーインターフェイスエレメントを、ＲＯＩが覆われないように前記電子装置の表示ユニットに表示する。
【００１１】
前記方法は、コンピュータプログラム製品として実施されることができる。コンピュータプログラム製品は、電子装置に用いられるコンピュータプログラムを記憶する。コンピュータプログラム製品に記憶されるコンピュータプログラムが、表示ユニットを有する電子装置にロードされると、電子装置は、前記方法を実行することができる。コンピュータプログラム製品は、例えば、読み出し専用メモリ（ｒｅａｄ  ｏｎｌｙ  ｍｅｍｏｒｙ；ＲＯＭ）、プログラマブル読み出し専用メモリ（ｐｒｏｇｒａｍｍａｂｌｅ  ｒｅａｄ  ｏｎｌｙ  ｍｅｍｏｒｙ；ＰＲＯＭ）、消去可能なプログラマブル読み出し専用メモリ（ｅｒａｓａｂｌｅ  ｐｒｏｇｒａｍｍａｂｌｅ  ｒｅａｄ  ｏｎｌｙ  ｍｅｍｏｒｙ；ＥＰＲＯＭ）及び電気的消去可能なプログラマブル読み出し専用メモリ（ｅｌｅｃｔｒｉｃａｌｌｙ  ｅｒａｓａｂｌｅ  ｐｒｏｇｒａｍｍａｂｌｅ  ｒｅａｄ  ｏｎｌｙ  ｍｅｍｏｒｙ；ＥＥＰＲＯＭ）のような不揮発性メモリ、静的ランダムアクセスメモリ（ｓｔａｔｉｃ  ｒａｎｄｏｍ  ａｃｃｅｓｓ  ｍｅｍｏｒｙ；ＳＲＡＭ）、動的ランダムアクセスメモリ（ｄｙｎａｍｉｃ  ｒａｎｄｏｍ  ａｃｃｅｓｓ  ｍｅｍｏｒｙ；ＤＲＡＭ）及びダブルデータレートランダムアクセスメモリ（ｄｏｕｂｌｅ  ｄａｔａ  ｒａｔｅ  ｒａｎｄｏｍ  ａｃｃｅｓｓ  ｍｅｍｏｒｙ；ＤＤＲ-ＲＡＭ）のような揮発性メモリ、コンパクトディスク読み出し専用メモリ（ｃｏｍｐａｃｔ  ｄｉｓｃ  ｒｅａｄ  ｏｎｌｙ  ｍｅｍｏｒｉｅｓ；ＣＤ-ＲＯＭ）及びデジタル多目的コンパクトディスク読み出し専用メモリ（ｄｉｇｉｔａｌ  ｖｅｒｓａｔｉｌｅ  ｄｉｓｃ  ｒｅａｄ  ｏｎｌｙ  ｍｅｍｏｒｉｅｓ；ＤＶＤ-ＲＯＭ）のような光学式メモリ、ハードディスクドライブ（ｈａｒｄ  ｄｉｓｋ  ｄｒｉｖｅｓ；ＨＤＤ）及びフロッピー（登録商標）ディスクのような磁気メモリ、を含むいかなる適切な記憶媒体に記憶されてよい。
【００１２】
図１及び図２を参照する。電子装置２００は、表示ユニット２１０と、表示制御ユニット２２０と、処理ユニット２３０と、を備える。表示制御ユニット２２０は、表示ユニット２１０に電気的に接続され、且つ処理ユニット２３０は、表示制御ユニット２２０に電気的に接続される。表示制御ユニット２２０は、表示ユニット２１０を制御するように構成される。表示制御ユニット２２０は、画像処理装置（Ｇｒａｐｈｉｃｓ  Ｐｒｏｃｅｓｓｉｎｇ  Ｕｎｉｔ；ＧＰＵ）又はいかなる他のタイプの表示制御ユニットであってよい。処理ユニット２３０は、中央処理装置（Ｃｅｎｔｒａｌ  Ｐｒｏｃｅｓｓｉｎｇ  Ｕｎｉｔ；ＣＰＵ）又はいかなる他のタイプの処理ユニットであってよい。
【００１３】
前記方法のルーチン１００は、工程１１０から始まり、そのうち、処理ユニット２３０は、背景壁紙を分析することによって、前記背景壁紙でＲＯＩを指定する。ＲＯＩは、関心テーマ、即ち、背景壁紙におけるユーザーにとって関心のある領域を含む。例えば、ユーザーは、人面を関心テーマとして設定することができる。そのため、処理ユニット２３０は、背景壁紙を分析することによって、背景壁紙で人面を含むＲＯＩを指定することができる。本発明のまた他の実施例において、背景壁紙が若干の連続像を含む動的壁紙である場合、処理ユニット２３０は、前記連続像を分析することによって、背景壁紙でＲＯＩを指定することができる。例えば、処理ユニット２３０は、関心テーマが表示される連続像の領域を指定して、前記指定される領域をＲＯＩとすることができる。他の実施例において、処理ユニット２３０の代わりに、工程１１０で指定される他の関心テーマを設定してもよい。
【００１４】
次に、ルーチン１００は、工程１３０へ進む。前記工程１３０において、表示制御ユニット２２０は、背景壁紙を表示するように、表示ユニット２１０を制御することが示される。
【００１５】
工程１４０において、表示制御ユニット２２０は、一つ又は複数のユーザーインターフェイスエレメントを、ＲＯＩが覆われないように表示された背景壁紙の領域に表示するように、表示ユニット２１０を制御する。そのため、関心テーマを有するＲＯＩは、いかなるユーザーインターフェイスエレメントに覆われない。つまり、ユーザーにとって関心のあるテーマは、視覚上において、遮断されないように表示ユニット２１０に表示されることができる。
【００１６】
工程１４０の一実施例において、表示制御ユニット２２０は、一つ又は複数のユーザーインターフェイスエレメントを、ＲＯＩが覆われないように表示背景壁紙に表示するように、表示ユニット２１０に表示される一つ又は複数のユーザーインターフェイスエレメントの少なくとも一つを移動してよい。そのため、ユーザーインターフェイスエレメントを移動することによって、ユーザーにとって関心のあるテーマが、視覚上において遮断されるのを防ぐことができる。
【００１７】
工程１４０のまた他の実施例において、表示制御ユニット２２０は、一つ又は複数のユーザーインターフェイスエレメントをＲＯＩ外の背景壁紙の領域に表示するように、表示ユニット２１０に表示される一つ又は複数のユーザーインターフェイスエレメントの少なくとも一つのサイズを調整してよい。そのため、背景壁紙におけるＲＯＩ外の領域が狭く、又はユーザーインターフェイスエレメントのサイズが大きくても、前記サイズを調整した後、ユーザーにとって関心のあるテーマが視覚上において遮断されるのを防ぐことができる。
【００１８】
図３Ａ〜図３Ｃは、ユーザーインターフェイスエレメントを移動する方式の実施例を示す。図３Ａにおいて、表示ユニット２１０は、若干のユーザーインターフェイスエレメント２１１ａ、２１１ｂを表示する。図３Ｂにおいて、工程１１０で、関心テーマが人面であると設定する場合、処理ユニット２３０は、背景壁紙２１２で人面を含むＲＯＩ２１２ａを指定することができる。図３Ｃにおいて、工程１３０で、表示制御ユニット２２０は、背景壁紙を表示するように、表示ユニット２１０を制御する。なお、工程１４０において、表示制御ユニット２２０は、ユーザーインターフェイスエレメント２１１ａ、２１１ｂを、ＲＯＩ２１２ａが覆われないように表示背景壁紙２１２の領域に表示するように、表示ユニット２１０を制御する。一実施例において、表示制御ユニット２２０は、ユーザーインターフェイスエレメント２１１ａ、２１１ｂを、ＲＯＩ２１２ａが覆われないように表示するように、ユーザーインターフェイスエレメント２１１ａ、２１１ｂを移動する。本発明のまた他の実施例において、処理ユニット２３０は、更にＲＯＩ２１２ａ外の領域（つまり、いかなる人面もない領域）を利用可能な領域２１２ｂとして指定してよい。そして、表示制御ユニット２２０は、ユーザーインターフェイスエレメント２１１ａ、２１１ｂを背景壁紙２１２の利用可能な領域２１２ｂに移動する。そのため、ユーザーインターフェイスエレメント２１１ａ、２１１ｂは、ＲＯＩ２１２ａ外の背景壁紙２１２の領域に表示されることになる。
【００１９】
図４Ａ〜図４Ｃは、ユーザーインターフェイスエレメントを移動したり、調整したりする方式の実施例を示す。図４Ａにおいて、表示ユニット２１０は、若干のユーザーインターフェイスエレメント２１１ｃ、２１１ｄ、２１１ｅを表示する。図４Ｂにおいて、工程１１０で、関心テーマが人面であると設定する場合、処理ユニット２３０は、背景壁紙２１２で人面を含むＲＯＩ２１２ａを指定することができる。図４Ｃにおいて、工程１３０で、表示制御ユニット２２０は、背景壁紙を表示するように、表示ユニット２１０を制御する。なお、工程１４０において、表示制御ユニット２２０は、ユーザーインターフェイスエレメント２１１ｃ、２１１ｄ、２１１ｅを、ＲＯＩ２１２ａが覆われないように表示背景壁紙２１２の領域に表示するように、表示ユニット２１０を制御する。表示制御ユニット２２０は、ユーザーインターフェイスエレメント２１１ｃ、２１１ｄを、ＲＯＩ２１２ａが覆われないように表示するように、ユーザーインターフェイスエレメント２１１ｃ、２１１ｄを移動する。なお、表示制御ユニット２２０は、表示ユニット２１０に表示されるユーザーインターフェイスエレメント２１１ｅのサイズを、ＲＯＩ２１２ａが覆われないように表示するのに十分小さく調整する。そのため、大きいユーザーインターフェイスエレメント２１１ｅが、視覚上においてユーザーにとって関心のあるテーマを遮断するのを防いだ。
【００２０】
本発明のまた他の実施例において、処理ユニット２３０は、更に、ＲＯＩ２１２ａ外の領域（つまり、いかなる人面もない領域）を利用可能な領域２１２ｂとして指定してよい。そして、表示制御ユニット２２０は、ユーザーインターフェイスエレメント２１１ｃ、２１１ｄを、ＲＯＩ２１２ａが遮断されないように背景壁紙２１２の利用可能な領域２１２ｂに移動する。なお、表示制御ユニット２２０は、ＲＯＩ２１２ａが遮断されないように、表示ユニット２１０に表示されるユーザーインターフェイスエレメント２１１ｅのサイズを利用可能な領域２１２ｂより小さく、例えば、ユーザーインターフェイスエレメント２１１ｃ、２１１ｄと合わせて利用可能な領域２１２ｂに収納可能なサイズまで調整する。
【００２１】
処理ユニット２３０は、以下の３種類の分析方法によって、背景壁紙でＲＯＩを指定することができる。
【００２２】
１．イメージの特性値によって分析する。処理ユニット２３０は、背景壁紙全体のイメージの特性値（例えば、背景壁紙におけるカラー、質感、ライン）を分析することができる。処理ユニット２３０は、背景壁紙全体のイメージの特性値の複雑性によって、背景壁紙を若干の小さなブロックに区分する。例えば、図５Ａに示すように、複雑な質感又はカラーを持つ領域をより多くのブロックに区分して、簡単な質感又はカラーを持つ領域を、それぞれのサイズが割りに大きな、より少ないブロックに区分する。そして、図５Ｂに示すように、処理ユニット２３０は、背景壁紙でノイズを消去して代表的な特性値を維持するように、背景壁紙の区分されたブロックのサイズによって、平滑化フィルタを実行する。そして、処理ユニット２３０は、関心テーマが背景壁紙でハイライト表示されるまで、前記平滑化フィルタされたブロックを合併する。そのため、関心テーマを得て、且つその後でＲＯＩを指定することができる。
【００２３】
２．特定な物件を検出する。異なる若干のアルゴリズムを使用して、例えば、人面、物体、ワード、車両、顔特徴等の意味ありげな物件をユーザーのために検出することができる。異なる物件に対して、対応的なアルゴリズムがある。処理ユニット２３０は、前記対応的なアルゴリズムを使用して、背景壁紙で物件を検出したり、前記検出された物件の表示された領域を検出したりして、前記領域を図３Ｂ及び図４Ｂに示すＲＯＩとすることができる。
【００２４】
３．ユーザーがフィードバックする。当該方法を第１項及び第２項における方法と組み合わせてよい。処理ユニット２３０が２つ以上のＲＯＩを検出した場合、ユーザーは、好ましいＲＯＩの特性に関する入力が処理ユニット２３０に提供されるように、電子装置２００のユーザーインターフェイスを介して前記ＲＯＩの一つを指定することができる。次回に、処理ユニット２３０が２つ又はそれ以上のＲＯＩを検出した場合、処理ユニット２３０は、異なる重みを異なるＲＯＩに割り当て、且つユーザーの好みのＲＯＩを予測することができる。そのため、２つ又は２つ以上のＲＯＩを検出する後の実例において、ユーザーが検出されたＲＯＩを選択する入力は、最低限に抑えられる。
【００２５】
なお、処理ユニット２３０は、ＲＯＩ技術によって、例えば、写真における人面又は建築物のような、ユーザーが重要視する背景壁紙におけるホットスポットを検出することができる。その後、処理ユニット２３０は、ホットスポット（ＲＯＩ）を視覚上において遮断されるべきではない領域とし、且つユーザーインターフェイスエレメントを再配置する。なお、処理ユニット２３０は、利用可能な領域のサイズによって、ユーザーインターフェイスエレメントを移動したり、ユーザーインターフェイスエレメントのサイズを調整したりすることができる。そのため、ユーザーが電子装置２００に表示される背景壁紙を変える場合、ユーザーは、自分でユーザーインターフェイスエレメントの位置に気をつかう必要がなく、且つＲＯＩは、ユーザーインターフェイスエレメントに覆われない。
【００２６】
本発明は、多くの利点を実現できる。表示ユニットにおけるＲＯＩ表示用領域がいかなるユーザーインターフェイスエレメントに覆われることはない。つまり、ユーザーにとって関心のある領域視覚上において、いかなるユーザーインターフェイスエレメントに遮断されることはない。
【００２７】
本発明を、本発明のある実施例と合わせて詳しく説明したが、他の実施例も可能である。そのため、添付の特許請求の範囲の精神と範囲は、本文に含まれる実施例に対する説明に限定されない。当業者であれば、本発明の範囲と精神から逸脱しない限り、本発明の構造に対して種々の修飾又は変更を加えることができることは勿論である。上記内容に鑑みて、本発明の修飾又は変更が以下の特許請求の範囲に含まれる限り、本発明は、本発明の修飾及び変更を含むことを図っている。
【符号の説明】
【００２８】
１００  ルーチン、１１０、１３０、１４０  工程、２００  電子装置、２１０  表示ユニット、２１１ａ、２１１ｂ、２１１ｃ、２１１ｄ、２１１ｅ  ユーザーインターフェイスエレメント、２１２  背景壁紙、２１２ａ  ＲＯＩ、２１２ｂ  利用可能な領域、２２０  表示制御ユニット、２３０  処理ユニット
【図１】
2013097369.tif 000003
【図２】
2013097369.tif 000004
【図３Ａ】
2013097369.tif 000005
【図３Ｂ】
2013097369.tif 000006
【図３Ｃ】
2013097369.tif 000007
【図４Ａ】
2013097369.tif 000008
【図４Ｂ】
2013097369.tif 000009
【図４Ｃ】
2013097369.tif 000010
【図５Ａ】
2013097369.tif 000011
【図５Ｂ】
2013097369.tif 000012
【図５Ｃ】
2013097369.tif 000013